(57)【要約】  共有された通信媒体にアクセスするための技法が開示される。一態様は、共有された通信媒体上で、ダウンリンクサブフレームのセットおよびアップリンクサブフレームのセットを定義する時分割複信（ＴＤＤ）フレーム構造に従って通信することであって、各アップリンクサブフレームは、送信ギャップ期間、コンテンション免除期間、およびコンテンション準拠期間に分割される、通信することと、送信ギャップ期間の間に、共有された通信媒体へのアクセスを求めて競合するためのコンテンションプロシージャを実施することと、コンテンション準拠期間の間にコンテンション準拠アップリンク制御信号を選択的に送信することと、コンテンション免除期間の間に１つまたは複数のコンテンション免除アップリンク制御信号を送信することと、を含む。一態様は、共有された通信媒体のダウンリンクサブフレームを受信することと、共有された通信媒体のアップリンクサブフレームの間に、ダウンリンクサブフレームのアクノレッジメントを送信することであって、アップリンクサブフレームはダウンリンクサブフレームから少なくとも予め決定された数のサブフレームおよび／または少なくとも予め決定された時間量後に発生する、送信することと、を含む。
2019502335.tif 000002
【特許請求の範囲】
【請求項１】
共有された通信媒体へのアクセスを求めて競合する方法であって、
前記共有された通信媒体上で、ダウンリンクサブフレームのセットおよびアップリンクサブフレームのセットを定義する時分割複信（ＴＤＤ）フレーム構造に従って通信することと、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施することと、
前記コンテンションプロシージャの結果に基づいて、前記コンテンション準拠期間の間に、１つまたは複数のコンテンション準拠アップリンク制御信号を選択的に送信することと、
前記コンテンションプロシージャの前記結果に関わらず、前記コンテンション免除期間の間に、１つまたは複数のコンテンション免除アップリンク制御信号を送信することと、
を備える、方法。
【請求項２】
前記アップリンク制御信号が、物理アップリンク制御チャネル（ＰＵＣＣＨ）に対応する、請求項１に記載の方法。
【請求項３】
前記送信ギャップ期間、前記コンテンション免除期間、および前記コンテンション準拠期間が、集合的に、各アップリンクサブフレームの一部のみまたは全体にわたる、請求項１に記載の方法。
【請求項４】
アップリンクサブフレームの前記セットは、完全にアップリンクシグナリング専用の少なくとも１つのサブフレーム、ダウンリンク部分およびアップリンク部分を有する部分的にアップリンクシグナリング専用の少なくとも１つのサブフレーム、またはそれらの組合せを備える、請求項１に記載の方法。
【請求項５】
各アップリンクサブフレーム内で、前記コンテンション免除期間は前記送信ギャップ期間に先行し、前記送信ギャップ期間は前記コンテンション準拠期間に先行する、請求項１に記載の方法。
【請求項６】
各アップリンクサブフレーム内で、前記送信ギャップ期間は前記コンテンション準拠期間に先行し、前記コンテンション準拠期間は前記コンテンション免除期間に先行する、請求項１に記載の方法。
【請求項７】
各アップリンクサブフレーム内で、前記コンテンション準拠期間は前記コンテンション免除期間に先行し、前記コンテンション免除期間は前記送信ギャップ期間に先行する、請求項１に記載の方法。
【請求項８】
前記実施すること、前記選択的に送信すること、および前記送信することは、前記送信ギャップ期間、前記コンテンション免除期間、および前記コンテンション準拠期間の各々について定義された複数のアクセス端末リソースのうちの第１のセットのアクセス端末リソース上で実施される、請求項１に記載の方法。
【請求項９】
共有された通信媒体上でアクノレッジメントをスケジューリングするための方法であって、
アクセス端末によって、前記共有された通信媒体上で、ダウンリンクサブフレームのセットおよびアップリンクサブフレームのセットを定義する時分割複信（ＴＤＤ）フレーム構造に従って、アクセスポイントと通信することと、
前記アクセス端末において前記アクセスポイントから、前記共有された通信媒体のダウンリンクサブフレームを受信することと、
前記アクセス端末によって前記アクセスポイントに、前記共有された通信媒体のアップリンクサブフレームの間に、前記ダウンリンクサブフレームのアクノレッジメントを送信することと、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を備える、方法。
【請求項１０】
前記共有された通信媒体は、物理アップリンク制御チャネル（ＰＵＣＣＨ）を備える、請求項９に記載の方法。
【請求項１１】
前記予め決定された時間量は、予め決定されたミリ秒単位の長さを備える、請求項９に記載の方法。
【請求項１２】
前記アクノレッジメントは、クリアチャネルアセスメント（ＣＣＡ）免除アクノレッジメントを備える、請求項９に記載の方法。
【請求項１３】
前記アクセスポイントが前記アクノレッジメントを受信しないことに基づいて、前記アクセス端末において前記アクセスポイントから、前記アクノレッジメントを送信することを求める要求を受信することと、
前記アクセス端末によって前記アクセスポイントに、前記アクセスポイントによって決定された前記共有された通信媒体のアップリンクサブフレームの間に、前記ダウンリンクサブフレームのアクノレッジメントを送信することと、
をさらに備える、請求項１２に記載の方法。
【請求項１４】
前記アクセスポイントによって決定された前記共有された通信媒体の前記アップリンクサブフレームの間に送信される前記ダウンリンクサブフレームの前記アクノレッジメントは、ＣＣＡ準拠アクノレッジメントを備える、請求項１３に記載の方法。
【請求項１５】
前記送信することは、前記アクセス端末に割り当てられた前記アクセスポイントの送信機会（ＴｘＯＰ）の間に、前記ダウンリンクサブフレームの前記アクノレッジメントを送信することを備える、請求項９に記載の方法。
【請求項１６】
前記ダウンリンクサブフレームから少なくとも前記予め決定された数のサブフレーム後に発生する前記アップリンクサブフレームは、前記アクセス端末に割り当てられた前記アクセスポイントの現在のまたは後続の送信機会（ＴｘＯＰ）内のサブフレームのカウントに基づいて決定される、請求項９に記載の方法。
【請求項１７】
前記ダウンリンクサブフレームから少なくとも前記予め決定された時間量後に発生する前記アップリンクサブフレームは、絶対時間の測定に基づいて決定され、
前記ダウンリンクサブフレームから少なくとも前記予め決定された時間量後に発生する前記アップリンクサブフレームは、前記ダウンリンクサブフレームから少なくとも前記予め決定された時間量後に発生する前記アクセス端末に割り当てられた前記アクセスポイントの送信機会（ＴｘＯＰ）の最初のアップリンクサブフレームを備える、
請求項９に記載の方法。
【請求項１８】
前記アクノレッジメントは、ポジティブアクノレッジメント（ＡＣＫ）またはネガティブアクノレッジメント（ＮＡＣＫ）を備える、請求項９に記載の方法。
【請求項１９】
共有された通信媒体へのアクセスを求めて競合するための装置であって、
トランシーバと、
少なくとも１つのプロセッサと、
を備え、
前記少なくとも１つのプロセッサは、前記トランシーバに、
前記共有された通信媒体上で、ダウンリンクサブフレームのセットおよびアップリンクサブフレームのセットを定義する時分割複信（ＴＤＤ）フレーム構造に従って通信することと、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施することと、
前記コンテンションプロシージャの結果に基づいて、前記コンテンション準拠期間の間に、１つまたは複数のコンテンション準拠アップリンク制御信号を選択的に送信することと、
前記コンテンションプロシージャの前記結果に関わらず、前記コンテンション免除期間の間に、１つまたは複数のコンテンション免除アップリンク制御信号を送信することと、
を行わせるように構成される、装置。
【請求項２０】
前記アップリンク制御信号が、物理アップリンク制御チャネル（ＰＵＣＣＨ）に対応する、請求項１９に記載の装置。
【請求項２１】
前記送信ギャップ期間、前記コンテンション免除期間、および前記コンテンション準拠期間が、集合的に、各アップリンクサブフレームの一部のみまたは全体にわたる、請求項１９に記載の装置。
【請求項２２】
アップリンクサブフレームの前記セットは、完全にアップリンクシグナリング専用の少なくとも１つのサブフレーム、ダウンリンク部分およびアップリンク部分を有する部分的にアップリンクシグナリング専用の少なくとも１つのサブフレーム、またはそれらの組合せを備える、請求項１９に記載の装置。
【請求項２３】
各アップリンクサブフレーム内で、前記コンテンション免除期間は前記送信ギャップ期間に先行し、前記送信ギャップ期間は前記コンテンション準拠期間に先行する、請求項１９に記載の装置。
【請求項２４】
各アップリンクサブフレーム内で、前記送信ギャップ期間は前記コンテンション準拠期間に先行し、前記コンテンション準拠期間は前記コンテンション免除期間に先行する、請求項１９に記載の装置。
【請求項２５】
各アップリンクサブフレーム内で、前記コンテンション準拠期間は前記コンテンション免除期間に先行し、前記コンテンション免除期間は前記送信ギャップ期間に先行する、請求項１９に記載の装置。
【請求項２６】
前記コンテンションプロシージャの前記実施、前記１つまたは複数のコンテンション準拠アップリンク制御信号の前記選択的な送信、および前記１つまたは複数のコンテンション免除アップリンク制御信号の前記送信は、前記送信ギャップ期間、前記コンテンション免除期間、および前記コンテンション準拠期間の各々について定義された複数のアクセス端末リソースのうちの第１のセットのアクセス端末リソース上で実施される、請求項１９に記載の装置。
【請求項２７】
共有された通信媒体上でアクノレッジメントをスケジューリングするための装置であって、
アクセス端末のトランシーバと、
前記アクセス端末の少なくとも１つのプロセッサと、
を備え、
前記少なくとも１つのプロセッサは、前記トランシーバに、
前記共有された通信媒体上で、ダウンリンクサブフレームのセットおよびアップリンクサブフレームのセットを定義する時分割複信（ＴＤＤ）フレーム構造に従って、アクセスポイントと通信することと、
前記アクセスポイントから、前記共有された通信媒体のダウンリンクサブフレームを受信することと、
前記アクセスポイントに、前記共有された通信媒体のアップリンクサブフレームの間に、前記ダウンリンクサブフレームのアクノレッジメントを送信することと、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を行わせるように構成される、装置。
【請求項２８】
前記共有された通信媒体は、物理アップリンク制御チャネル（ＰＵＣＣＨ）を備える、請求項２７に記載の装置。
【請求項２９】
前記予め決定された時間量は、予め決定されたミリ秒単位の長さを備える、請求項２７に記載の装置。
【請求項３０】
前記アクノレッジメントは、クリアチャネルアセスメント（ＣＣＡ）免除アクノレッジメントを備える、請求項２７に記載の装置。
【請求項３１】
前記少なくとも１つのプロセッサは、前記トランシーバに、
前記アクセスポイントから、前記アクセスポイントが前記アクノレッジメントを受信しないことに基づいて、前記アクノレッジメントを送信することを求める要求を受信することと、
前記アクセスポイントに、前記アクセスポイントによって決定された前記共有された通信媒体のアップリンクサブフレームの間に、前記ダウンリンクサブフレームのアクノレッジメントを送信するここと、
を行わせるようにさらに構成される、請求項３０に記載の装置。
【請求項３２】
前記アクセスポイントによって決定された前記共有された通信媒体の前記アップリンクサブフレームの間に送信される前記ダウンリンクサブフレームの前記アクノレッジメントは、ＣＣＡ準拠アクノレッジメントを備える、請求項３１に記載の装置。
【請求項３３】
前記少なくとも１つのプロセッサが、前記トランシーバに送信することを行わせるように、構成されることは、前記少なくとも１つのプロセッサが、前記トランシーバに、前記アクセス端末に割り当てられた前記アクセスポイントの送信機会（ＴｘＯＰ）の間に、前記ダウンリンクサブフレームの前記アクノレッジメントを送信することを行わせるように、構成されることを備える、請求項２７に記載の装置。
【請求項３４】
前記ダウンリンクサブフレームから少なくとも前記予め決定された数のサブフレーム後に発生する前記アップリンクサブフレームは、前記アクセス端末に割り当てられた前記アクセスポイントの現在のまたは後続の送信機会（ＴｘＯＰ）内のサブフレームのカウントに基づいて決定される、請求項２７に記載の装置。
【請求項３５】
前記ダウンリンクサブフレームから少なくとも前記予め決定された時間量後に発生する前記アップリンクサブフレームは、絶対時間の測定に基づいて決定され、
前記ダウンリンクサブフレームから少なくとも前記予め決定された時間量後に発生する前記アップリンクサブフレームは、前記ダウンリンクサブフレームから少なくとも前記予め決定された時間量後に発生する前記アクセス端末に割り当てられた前記アクセスポイントの送信機会（ＴｘＯＰ）の最初のアップリンクサブフレームを備える、
請求項２７に記載の装置。
【請求項３６】
前記アクノレッジメントは、ポジティブアクノレッジメント（ＡＣＫ）またはネガティブアクノレッジメント（ＮＡＣＫ）を備える、請求項２７に記載の装置。
【請求項３７】
共有された通信媒体へのアクセスを求めて競合するための装置であって、
前記共有された通信媒体上で、ダウンリンクサブフレームのセットおよびアップリンクサブフレームのセットを定義する時分割複信（ＴＤＤ）フレーム構造に従って通信するための手段と、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施するための手段と、
前記コンテンションプロシージャの結果に基づいて、前記コンテンション準拠期間の間に、１つまたは複数のコンテンション準拠アップリンク制御信号を選択的に送信するための手段と、
前記コンテンションプロシージャの前記結果に関わらず、前記コンテンション免除期間の間に、１つまたは複数のコンテンション免除アップリンク制御信号を送信するための手段と、
を備える、装置。
【請求項３８】
共有された通信媒体上でアクノレッジメントをスケジューリングするための装置であって、
アクセス端末によって、前記共有された通信媒体上で、ダウンリンクサブフレームのセットおよびアップリンクサブフレームのセットを定義する時分割複信（ＴＤＤ）フレーム構造に従って、アクセスポイントと通信するための手段と、
前記アクセス端末において前記アクセスポイントから、前記共有された通信媒体のダウンリンクサブフレームを受信するための手段と、
前記アクセス端末によって前記アクセスポイントに、前記共有された通信媒体のアップリンクサブフレームの間に、前記ダウンリンクサブフレームのアクノレッジメントを送信するための手段と、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を備える、装置。
【請求項３９】
共有された通信媒体へのアクセスを求めて競合するための非一時的なコンピュータ読み取り可能な媒体であって、
前記共有された通信媒体上で、ダウンリンクサブフレームのセットおよびアップリンクサブフレームのセットを定義する時分割複信（ＴＤＤ）フレーム構造に従って通信するための少なくとも１つの命令と、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施するための少なくとも１つの命令と、
前記コンテンションプロシージャの結果に基づいて、前記コンテンション準拠期間の間に、１つまたは複数のコンテンション準拠アップリンク制御信号を選択的に送信するための少なくとも１つの命令と、
前記コンテンションプロシージャの前記結果に関わらず、前記コンテンション免除期間の間に、１つまたは複数のコンテンション免除アップリンク制御信号を送信するための少なくとも１つの命令と、
を備える、非一時的なコンピュータ読み取り可能な媒体。
【請求項４０】
共有された通信媒体上でアクノレッジメントをスケジューリングするための非一時的なコンピュータ読み取り可能な媒体であって、
アクセス端末に、前記共有された通信媒体上で、ダウンリンクサブフレームのセットおよびアップリンクサブフレームのセットを定義する時分割複信（ＴＤＤ）フレーム構造に従って、アクセスポイントと通信させるための少なくとも１つの命令と、
前記アクセス端末に、前記アクセスポイントから、前記共有された通信媒体のダウンリンクサブフレームを受信させる少なくとも１つの命令と、
前記アクセス端末に、前記共有された通信媒体のアップリンクサブフレームの間に、前記ダウンリンクサブフレームのアクノレッジメントを前記アクセスポイントへ送信させるための少なくとも１つの命令と、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を備える、非一時的なコンピュータ読み取り可能な媒体。
【発明の詳細な説明】
【技術分野】
【０００１】
［関連出願の相互参照］
[0001]  本特許出願は、本願の譲受人に譲渡され、参照によって全体がここに明示的に組み込まれる、「UPLINK CONTROL SIGNALING ON A SHARED COMMUNICATION MEDIUM」と題されて２０１５年１１月４日に出願された、米国仮出願第６２／２５０、９７７号の利益を主張する。
［イントロダクション］
【０００２】
[0002]  本開示の態様は、一般に電気通信に関し、より具体的には、共有された通信媒体上での動作等に関する。
【背景技術】
【０００３】
[0003]  ワイヤレス通信システムは、音声、データ、マルチメディア等のような様々なタイプの通信コンテンツを提供するために広く展開されている。典型的なワイヤレス通信システムは、利用可能なシステムリソース（例えば、帯域幅、送信電力等）を共有することによって複数のユーザとの通信をサポートすることができる多元接続システムである。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および他のものを含む。これらのシステムは、第３世代パートナーシッププロジェクト（３ＧＰＰ（登録商標））によって提供されるロングタームエボリューション（ＬＴＥ（登録商標））、第３世代パートナーシッププロジェクト２（３ＧＰＰ２）によって提供されるウルトラモバイルブロードバンド（ＵＭＢ）およびＥＶ−ＤＯ（Evolution Data Optimized）、電気電子技術者協会（ＩＥＥＥ）によって提供される８０２．１１等のような仕様に準拠してしばしば展開される。
【０００４】
[0004]  セルラネットワークにおいて、「マクロセル」アクセスポイントは、ある特定の地理的なエリアにわたって、多数のユーザに接続性およびカバレッジを提供する。マクロネットワーク展開は、地理的領域にわたって良好なカバレッジを提供するように、慎重に計画、設計およびインプリメントされる。例えばレジデンシャルホームおよびオフィスビル等のための屋内または他の特定の地理的なカバレッジを改善するために、追加的な「スモールセル」、典型的には低電力アクセスポイントが、従来のマクロネットワークを補完（supplement）するために近頃展開され始めた。スモールセルアクセスポイントはまた、漸進的な容量の増加、より豊かなユーザエクスペリエンス等を提供し得る。
【０００５】
[0005]  スモールセルのＬＴＥ動作は、例えば、ワイヤレスローカルエリアネットワーク（ＷＬＡＮ）技術によって使用されるＵ−ＮＩＩ（Unlicensed National Information Infrastructure）バンドのようなアンライセンス周波数スペクトルに拡張された。スモールセルのＬＴＥ動作のこの拡張は、スペクトル効率を上げ、それによってＬＴＥシステムの容量を増加させるように設計されている。しかしながら、それはまた、典型的に同じアンライセンスバンドを利用する他の無線アクセス技術（ＲＡＴ）、中でも最も注目すべきものとしては一般に「Ｗｉ−Ｆｉ」と呼ばれるＩＥＥＥ８０２．１１ｘ  ＷＬＡＮ技術の動作を侵害し得る。
【発明の概要】
【０００６】
[0006]  以下は、ここに開示された１つまたは複数の態様に関する簡略化された概要を提示する。したがって、以下の概要は、すべての考慮された態様に関する広範な外観と見なされるべきではなく、また以下の概要は、すべての考慮された態様に関係する主要または重要な要素を特定するようにあるいは任意の特定の態様に関連する範囲を詳細に叙述するように考えられるべきでもない。したがって、以下の概要は、ここに開示されたメカニズムに関係する１つまたは複数の態様に関係するある特定の概念を、以下に提示される詳細な説明に先立って、簡略化された形式で提示することを唯一の目的としている。
【０００７】
[0007]  一態様では、共有された通信媒体へのアクセスを求めて競合（contending）するための方法は、共有された通信媒体上で、ダウンリンクサブフレームのセットおよびアップリンクサブフレームのセットを定義する時分割複信（ＴＤＤ）フレーム構造に従って通信することであって、各アップリンクサブフレームは、送信ギャップ期間、コンテンション免除期間（contention-exempt period）、およびコンテンション準拠期間（contention-compliant period）に分割される、通信することと、送信ギャップ期間の間に、共有された通信媒体へのアクセスを求めて競合するためのコンテンションプロシージャを実施することと、コンテンションプロシージャの結果に基づいて、コンテンション準拠期間の間に、１つまたは複数のコンテンション準拠アップリンク制御信号を選択的に送信することと、コンテンションプロシージャの結果に関わらず、コンテンション免除期間の間に、１つまたは複数のコンテンション免除アップリンク制御信号を送信することと、を含む。
【０００８】
[0008]  共有された通信媒体上でアクノレッジメントをスケジューリングするための方法は、アクセス端末によって、ダウンリンクサブフレームのセットおよびアップリンクサブフレームのセットを定義するＴＤＤフレーム構造に従って、共有された通信媒体上で、アクセスポイントと通信することと、アクセス端末において、アクセスポイントから、共有された通信媒体のダウンリンクサブフレームを受信することと、アクセス端末によって、アクセスポイントに、共有された通信媒体のアップリンクサブフレームの間に、ダウンリンクサブフレームのアクノレッジメントを送信することであって、アップリンクサブフレームは、ダウンリンクサブフレームから少なくとも予め決定された数のサブフレーム後に発生するか、ダウンリンクサブフレームから少なくとも予め決定された時間量後に発生するか、またはそれらの任意の組合せで発生する、送信することと、を含む。
【０００９】
[0009]  一態様では、共有された通信媒体へのアクセスを求めて競合するための装置は、トランシーバと少なくとも１つのプロセッサとを含み、少なくとも１つのプロセッサは、トランシーバに、ダウンリンクサブフレームのセットおよびアップリンクサブフレームのセットを定義するＴＤＤフレーム構造に従って、共有された通信媒体上で通信することであって、各アップリンクサブフレームは、送信ギャップ期間、コンテンション免除期間、およびコンテンション準拠期間に分割される、通信することと、送信ギャップ期間の間に、共有された通信媒体へのアクセスを求めて競合するためのコンテンションプロシージャを実施することと、コンテンションプロシージャの結果に基づいて、コンテンション準拠期間の間に、１つまたは複数のコンテンション準拠アップリンク制御信号を選択的に送信することと、コンテンションプロシージャの結果に関わらず、コンテンション免除期間の間に、１つまたは複数のコンテンション免除アップリンク制御信号を送信することと、を行わせるように構成される。
【００１０】
[0010]  共有された通信媒体上でアクノレッジメントをスケジューリングするための装置は、アクセス端末のトランシーバと、アクセス端末の少なくとも１つのプロセッサとを含み、少なくとも１つのプロセッサは、トランシーバに、ダウンリンクサブフレームのセットおよびアップリンクサブフレームのセットを定義するＴＤＤフレーム構造に従って、共有された通信媒体上で、アクセスポイントと通信することと、アクセスポイントから、共有された通信媒体のダウンリンクサブフレームを受信することと、アクセスポイントに、共有された通信媒体のアップリンクサブフレームの間に、ダウンリンクサブフレームのアクノレッジメントを送信することであって、アップリンクサブフレームは、ダウンリンクサブフレームから少なくとも予め決定された数のサブフレーム後に発生するか、ダウンリンクサブフレームから少なくとも予め決定された時間量後に発生するか、またはそれらの任意の組合せで発生する、送信することと、を行わせるように構成される。
【００１１】
[0011]  一態様では、共有された通信媒体へのアクセスを求めて競合するための装置は、ダウンリンクサブフレームのセットおよびアップリンクサブフレームのセットを定義するＴＤＤフレーム構造に従って、共有された通信媒体上で通信するための手段であって、各アップリンクサブフレームは、送信ギャップ期間、コンテンション免除期間、およびコンテンション準拠期間に分割される、通信するための手段と、送信ギャップ期間の間に、共有された通信媒体へのアクセスを求めて競合するためのコンテンションプロシージャを実施するための手段と、コンテンションプロシージャの結果に基づいて、コンテンション準拠期間の間に、１つまたは複数のコンテンション準拠アップリンク制御信号を選択的に送信するための手段と、コンテンションプロシージャの結果に関わらず、コンテンション免除期間の間に、１つまたは複数のコンテンション免除アップリンク制御信号を送信するための手段と、を含む。
【００１２】
[0012]  共有された通信媒体上でアクノレッジメントをスケジューリングするための装置は、アクセス端末によって、ダウンリンクサブフレームのセットおよびアップリンクサブフレームのセットを定義するＴＤＤフレーム構造に従って、共有された通信媒体上で、アクセスポイントと通信するための手段と、アクセス端末において、アクセスポイントから、共有された通信媒体のダウンリンクサブフレームを受信するための手段と、アクセス端末によって、アクセスポイントに、共有された通信媒体のアップリンクサブフレームの間に、ダウンリンクサブフレームのアクノレッジメントを送信するための手段であって、アップリンクサブフレームは、ダウンリンクサブフレームから少なくとも予め決定された数のサブフレーム後に発生するか、ダウンリンクサブフレームから少なくとも予め決定された時間量後に発生するか、またはそれらの任意の組合せで発生する、送信するための手段と、を含む。
【００１３】
[0013]  一態様では、共有された通信媒体へのアクセスを求めて競合するための非一時的なコンピュータ読み取り可能な媒体は、ダウンリンクサブフレームのセットおよびアップリンクサブフレームのセットを定義するＴＤＤフレーム構造に従って、共有された通信媒体上で通信することであって、各アップリンクサブフレームは、送信ギャップ期間、コンテンション免除期間、およびコンテンション準拠期間に分割される、通信することと、送信ギャップ期間の間に、共有された通信媒体へのアクセスを求めて競合するためのコンテンションプロシージャを実施することと、コンテンションプロシージャの結果に基づいて、コンテンション準拠期間の間に、１つまたは複数のコンテンション準拠アップリンク制御信号を選択的に送信することと、コンテンションプロシージャの結果に関わらず、コンテンション免除期間の間に、１つまたは複数のコンテンション免除アップリンク制御信号を送信することと、を行うための少なくとも１つの命令を含む。
【００１４】
[0014]  共有された通信媒体上でアクノレッジメントをスケジューリングするための非一時的なコンピュータ読み取り可能な媒体は、アクセス端末に、ダウンリンクサブフレームのセットおよびアップリンクサブフレームのセットを定義するＴＤＤフレーム構造に従って、共有された通信媒体上で、アクセスポイントと通信させるための少なくとも１つの命令と、アクセス端末に、アクセスポイントから、共有された通信媒体のダウンリンクサブフレームを受信させるための少なくとも１つの命令と、アクセス端末に、共有された通信媒体のアップリンクサブフレームの間に、ダウンリンクサブフレームのアクノレッジメントをアクセスポイントへ送信させるための少なくとも１つの命令であって、アップリンクサブフレームは、ダウンリンクサブフレームから少なくとも予め決定された数のサブフレーム後に発生するか、ダウンリンクサブフレームから少なくとも予め決定された時間量後に発生するか、またはそれらの任意の組合せで発生する、送信させるための少なくとも１つの命令と、を含む。
【００１５】
[0015]  ここに開示された態様に関連する他の目的および利点は、添付の図面および詳細な説明に基づいて、当業者に明らかとなる。
【図面の簡単な説明】
【００１６】
[0016]  添付の図面は、本開示の様々な態様の説明を助けるために提示されており、それら態様の限定ではなく例示のためだけに提供されている。
【図１】[0017]  図１は、例示的なワイヤレスネットワーク環境を例示するシステムレベル図である。
【図２】[0018]  図２は、ここに説明された技法による例示的な時分割複信（ＴＤＤ）フレーム構造を例示する。
【図３】[0019]  図３は、ここに説明された技法による例示的なアップリンクサブフレーム構造を例示する。
【図４】[0020]  図４は、ここに説明された技法による別の例示的なアップリンクサブフレーム構造を例示する。
【図５】[0021]  図５は、ここに説明された技法による別の例示的なアップリンクサブフレーム構造を例示する。
【図６】[0022]  図６は、ここに説明された技法による例示的なアクセス端末多重化スキームを例示する多重化図（a multiplexing diagram）である。
【図７】[0023]  図７は、ここに説明された技法による例示的なハイブリッド自動再送要求（ＨＡＲＱ）タイミング図を例示する。
【図８】[0024]  図８は、ここに説明された技法による他の例示的なＨＡＲＱタイミング図を例示する。
【図９】[0025]  図９は、ここに説明された技法による他の例示的なＨＡＲＱタイミング図を例示する。
【図１０】[0026]  図１０は、ここに説明された技法による２つのアクセス端末間の衝突解決の例を例示する。
【図１１】[0027]  図１１は、ここに説明された技法による通信の例示的な方法を例示するフローダイアグラムである。
【図１２】[0028]  図１２は、ここに説明された技法による通信の別の例示的な方法を例示するフローダイアグラムである。
【図１３】[0029]  図１３は、アクセスポイントおよびアクセス端末の例示的なコンポーネントをより詳細に例示するデバイスレベル図である。
【図１４】[0030]  図１４は、ここに説明された技法による一連の相互に関係する機能モジュールとして表される例示的な装置を例示する。
【図１５】[0031]  図１５は、ここに説明された技法による一連の相互に関係する機能モジュールとして表される別の例示的な装置を例示する。
【詳細な説明】
【００１７】
[0032]  本開示は、一般に、共有された通信媒体上でのアップリンク制御シグナリングの管理に関する。そのような共有された通信媒体上でインプリメントされ得る様々なコンテンションプロシージャとより良く調和させるために、ロングタームエボリューション（ＬＴＥ）システムについて定義された物理アップリンク制御チャネル（ＰＵＣＣＨ）のようなアップリンク制御チャネルの１つまたは複数のサブフレームは、コンテンション免除シグナリングを、コンテンション準拠シグナリングと区別するように構成され得る。このような方法で、コンテンション免除シグナリングからの干渉またはコンテンション免除シグナリングに対する干渉なく、コンテンション準拠シグナリングのためのコンテンション処理を容易にする、送信ギャップ期間が導入され得る。ハイブリッド自動再送要求（ＨＡＲＱ）のようなアクノレッジメントプロシージャのための制御チャネルスケジューリングを改善するために、アクノレッジメントシグナリングがそこで送られることになるアップリンクサブフレームは、アクノレッジされようとしているダウンリンクサブフレームから少なくとも予め決定された数のサブフレーム後に発生するか、アクノレッジされようとしているダウンリンクサブフレームから少なくとも予め決定された時間量後に発生するか、またはそれらの組合せで発生するように指定され得る。
【００１８】
[0033]  本開示のより具体的な態様は、例示の目的のために提供される様々な例を対象とする以下の説明および関連する図において提供される。代替の態様が、本開示の範囲から逸脱することなく考案され得る。さらに、本開示の周知の態様は、より関連性のある詳細を曖昧にしないために、詳細には説明されない可能性があるか、または省略され得る。
【００１９】
[0034]  当業者は、以下に説明される情報および信号は、多様な異なる技術および技法のいずれを使用しても表され得ることを認識するだろう。例えば、以下の説明を通して言及され得るデータ、命令、コマンド、情報、信号、ビット、シンボル、およびチップは、部分的に特定のアプリケーションに応じたり、部分的に所望の設計に応じたり、部分的に対応する技術に応じるなどして、電圧、電流、電磁波、磁場または磁性粒子、光場または光粒子、あるいはそれらの任意の組合せで表され得る。
【００２０】
[0035]  さらに、多くの態様は、例えば、コンピューティングデバイスの要素によって実施される一連のアクションの観点から説明される。ここに説明される様々なアクションは、特定の回路（例えば、特定用途向け集積回路（ＡＳＩＣ））によって、１つまたは複数のプロセッサによって実行されるプログラム命令によって、またはその両方の組合せによって、実施されることができることが認識されることとなる。加えて、ここに説明される態様の各々に関して、いずれのそのような態様の対応する形態も、例えば、説明されたアクションを実施する「ように構成されるロジック」としてインプリメントされ得る。
【００２１】
[0036]  図１は、例として「プライマリ」無線アクセス技術（ＲＡＴ）システム１００および「競合する（competing）」ＲＡＴシステム１５０を含むものと示される、例示的なワイヤレスネットワーク環境を例示するシステムレベル図である。各システムは、様々なタイプの通信（例えば、音声、データ、マルチメディアサービス、関連した制御シグナリング等）に関係する情報を含んで、一般にワイヤレスリンクを介して受信および／または送信することができる、異なる複数のワイヤレスノードから構成され得る。プライマリＲＡＴシステム１００は、ワイヤレスリンク１３０を介して互いに通信しているアクセスポイント１１０とアクセス端末１２０とを含むように示される。競合する（competing）ＲＡＴシステム１５０は、別個のワイヤレスリンク１３２を介して互いに通信している２つの競合する（competing）ノード１５２を含むように示されており、かつ、同様に１つまたは複数のアクセスポイント、アクセス端末、または他のタイプのワイヤレスノードを含み得る。例として、プライマリＲＡＴシステム１００のアクセスポイント１１０およびアクセス端末１２０は、ロングタームエボリューション（ＬＴＥ）技術に従ってワイヤレスリンク１３０を介して通信し得、一方で、競合する（competing）ＲＡＴシステム１５０の競合する（competing）ノード１５２は、Ｗｉ−Ｆｉ技術に従ってワイヤレスリンク１３２を介して通信し得る。例示されたエンティティは、例示の目的のためだけに示されており、各システムは、地理的な領域にわたって分布したワイヤレスノードをいくつでもサポートし得ることは認識されることになる。
【００２２】
[0037]  特に断りのない限り、「アクセス端末」および「アクセスポイント」という用語は、いかなる特定のＲＡＴにも限定されるようにまたは固有であるように意図されてはいない。一般に、アクセス端末は、通信ネットワークを介してユーザが通信することを可能にするいかなるワイヤレス通信デバイス（例えば、携帯電話、ルータ、パーソナルコンピュータ、サーバ、エンタテイメントデバイス、ＩＯＴ（Internet of Things）／ＩＯＥ（Internet of Everything）対応デバイス、車両内通信デバイス等）でもあり得、そして異なるＲＡＴ環境において、代替的に、ユーザデバイス（ＵＤ）、モバイル局（ＭＳ）、加入者局（ＳＴＡ）、ユーザ装置（ＵＥ）等と呼ばれ得る。同様に、アクセスポイントは、アクセスポイントが展開されるネットワークに応じて、アクセス端末と通信している１つのまたはいくつかのＲＡＴに従って動作し得、そして代替的に、基地局（ＢＳ）、ネットワークノード、ノードＢ、発展型ノードＢ（ｅＮＢ）等と呼ばれ得る。そのようなアクセスポイントは、例えば、スモールセルアクセスポイントに対応し得る。「スモールセル」は一般に、フェムトセル、ピコセル、マイクロセル、ワイヤレスローカルエリアネットワーク（ＷＬＡＮ）アクセスポイント、他のスモールカバレッジエリアアクセスポイント等を含み得るかまたはさもなければそのように呼ばれ得る、低電力のアクセスポイントのクラスを指す。スモールセルは、マクロセルカバレッジを補完するために展開され得、それは近隣内の数ブロックまたは農村環境においては数平方マイルをカバーし得、それにより、改善されたシグナリング、漸進的な容量の増加、より豊かなユーザエクスペリエンス等をもたらす。
【００２３】
[0038]  図１に戻ると、プライマリＲＡＴシステム１００によって使用されるワイヤレスリンク１３０および競合する（competing）ＲＡＴシステム１５０によって使用されるワイヤレスリンク１３２は、共有された通信媒体１４０を介して動作し得る。このタイプの通信媒体は、１つまたは複数の周波数、時間、および／または空間通信リソース（例えば、１つまたは複数のキャリアにわたる１つまたは複数のチャネルを包含する）から構成され得る。例として、共有された通信媒体１４０は、アンライセンス周波数バンドの少なくとも一部に対応し得る。異なる複数のライセンス周波数バンドは、（例えば、アメリカ合衆国におけるＦＣＣ（the Federal Communications Commission）のような政府エンティティによって）ある特定の通信のために予約されているが、いくつかのシステム、特にスモールセルアクセスポイントを用いるシステムは、Ｗｉ−Ｆｉを含むＷＬＡＮ技術によって使用されるＵ−ＮＩＩ（the Unlicensed National Information Infrastructure）バンドのようなアンライセンス周波数バンドへ拡張された動作を有する。
【００２４】
[0039]  共有された通信媒体１４０の共有使用が原因で、ワイヤレスリンク１３０とワイヤレスリンク１３２との間のクロスリンク干渉の可能性がある。さらに、いくつかのＲＡＴおよびいくつかの管轄は、共有された通信媒体１４０にアクセスするために、コンテンションまたは「リッスンビフォアトーク（ＬＢＴ）」を要求し得る。例として、各デバイスが、それ自身の送信のための通信媒体を獲得する（および一部のケースでは予約する）前に、共有された通信媒体上の他のトラフィックの不在を媒体検知（medium sensing）によって検証する、クリアチャネルアセスメント（ＣＣＡ）プロトコルが使用され得る。いくつかの設計では、ＣＣＡプロトコルは、それぞれＲＡＴ内およびＲＡＴ間のトラフィックに通信媒体を譲る（yielding）ための異なるＣＣＡプリアンブル検出（ＣＣＡ−ＰＤ）およびＣＣＡエネルギ検出（ＣＣＡ−ＥＤ）メカニズムを含み得る。欧州電気通信標準化機構（ＥＴＳＩ）は、例えば、すべてのデバイスに、アンライセンス周波数バンドなどのある特定の通信媒体上で、それらのＲＡＴに関わらず、コンテンションを義務付ける（mandates）。
【００２５】
[0040]  以下により詳細に説明されることになるように、アクセスポイント１１０および／またはアクセス端末１２０は、上で簡潔に説明されたアップリンク制御シグナリング技法を提供するまたはさもなければサポートするように本明細書における教示に従って様々に構成され得る。例えば、アクセスポイント１１０は、制御チャネルマネジャ１１２を含み得、アクセス端末１２０は、制御チャネルマネジャ１２２を含み得る。制御チャネルマネジャ１１２および／または制御チャネルマネジャ１２２は、共有された通信媒体１４０上でのアップリンク制御シグナリングを管理ために様々な方法で構成され得る。
【００２６】
[0041]  図２は、共有された通信媒体１４０へのコンテンションベースのアクセスを容易にするように、図１におけるプライマリＲＡＴシステム１００のためにインプリメントされ得る例示的な時分割複信（ＴＤＤ）フレーム構造を例示する。
【００２７】
[0042]  例示されたフレーム構造は、システムフレーム番号（ＳＦＮ）ニューメロロジー（ＳＦＮ  Ｎ、Ｎ＋１、Ｎ＋２等）に従って番号付けされ、かつ、（例えば、ＳＦ０、ＳＦ１等と）参照のためにこれまた番号付けされ得るそれぞれのサブフレーム（ＳＦ）に分割された、一連の無線フレーム（ＲＦ）を含む。各それぞれのサブフレームはさらに、複数のスロット（図２には示されていない）に分割され得、それらスロットはさらに、複数のシンボル期間に分割され得る。例として、ＬＴＥフレーム構造は、集合的に一ＳＦＮサイクル（例えば、１ｍｓのサブフレームを有する１０ｍｓの無線フレームについて１０．２４ｓ続く）を構成する各々１０個のサブフレームから構成される１０２４個の番号付けされた無線フレームに分割される、システムフレームを含む。各サブフレームは２つのスロットを備え得、各スロットは６つまたは７つのシンボル期間を備え得る。フレーム構造の使用は、アドホックシグナリング技法に比べて、デバイス間のより自然で効率的な調整（coordination）を提供し得る。
【００２８】
[0043]  図２の例示的なフレーム構造は、各サブフレームが異なる時間においてダウンリンク（Ｄ）、アップリンク（Ｕ）、または特殊（Ｓ）サブフレームとして様々に動作され得るＴＤＤである。一般に、ダウンリンクサブフレームは、アクセスポイント１１０からアクセス端末１２０にダウンリンク情報を送信するために予約され、アップリンクサブフレームは、アクセス端末１２０からアクセスポイント１１０にアップリンク情報を送信するために予約され、特殊サブフレームは、ガード期間によって分離されたダウンリンク部分およびアップリンク部分を含み得る。ダウンリンク、アップリンク、および特殊サブフレームの異なる配列（arrangements）は、異なるＴＤＤ構成と呼ばれ得る。上のＬＴＥの例に戻って、ＬＴＥフレーム構造のＴＤＤの変形は、各構成がダウンリンク、アップリンク、および特殊サブフレームの異なる配列を有する７つの（７）ＴＤＤ構成（ＴＤＤ  Ｃｏｎｆｉｇ０〜ＴＤＤ  Ｃｏｎｆｉｇ６）を含む。例えば、異なるトラフィックシナリオに順応するために、ＴＤＤ構成にはより多くのダウンリンクサブフレームを有し得るものもあれば、より多くのアップリンクサブフレームを有し得るものもある。図２の例示された例では、ＬＴＥにおいてＴＤＤ  Ｃｏｎｆｉｇ３と同様なＴＤＤ構成が用いられる。
【００２９】
[0044]  いくつかの設計では、図２のフレーム構造は、各フレーム／サブフレームの位置が絶対時間に関して予め決定され得るという意味で「固定（fixed）され」得るが、共有された通信媒体１４０にアクセスするためのコンテンションプロシージャが原因で、任意の所与のインスタンスにおいてプライマリＲＡＴシグナリングによって占有され得るかまたは占有されない可能性がある。例えば、アクセスポイント１１０またはアクセス端末１２０が所与のサブフレームについてのコンテンションに勝ちそこなった場合、そのサブフレームはサイレントにされ得る（silenced）。しかしながら、他の設計では、図２のフレーム構造は、各フレーム／サブフレームの位置が、共有された通信媒体１４０へのアクセスが確保されたポイントに関して動的に決定され得るという意味で、「流動的（floating）」であり得る。例えば、所与のフレーム（例えば、ＳＦＮ  Ｎ）の開始は、アクセスポイント１１０またはアクセス端末１２０がコンテンションに勝つことができるまで、絶対時間に関して遅延され得る。
【００３０】
[0045]  以下により詳細に説明されることになるように、アップリンクサブフレームのうちの１つまたは複数は、共有された通信媒体１４０上のプライマリＲＡＴシステム１００内でアップリンク制御シグナリングをより良くサポートするために、コンテンション免除シグナリングをコンテンション準拠シグナリングと分離するアップリンク制御チャネル構造を提供するように、全体または部分的に、構成され得る。ある制御シグナリングは、例えば短い送信持続時間のための特別な免除が原因で、コンテンション要件を免除され得る一方で、他の制御シグナリングは、用いられるコンテンションルールの順守を要求され得る。例として、アクノレッジメントメッセージ、チャネル品質インジケータ、スケジューリング要求等を搬送するためのＬＴＥについて定義された物理アップリンク制御チャネル（ＰＵＣＣＨ）は、ＣＣＡ免除シグナリングをＣＣＡ準拠シグナリングとは分離するように修正され得る。コンテンション要件に基づいてシグナリングを分離することによって、コンテンション免除シグナリングからの干渉またはコンテンション免除シグナリングに対する干渉なく、コンテンション準拠シグナリングのためのコンテンション処理を容易にする、送信ギャップ期間が導入され得る。
【００３１】
[0046]  図３は、図１におけるプライマリＲＡＴシステム１００のためにインプリメントされ得る例示的なアップリンクサブフレーム構造を例示する。この設計では、アップリンクサブフレームまたはその一部は、介在する送信（ＴＸ）ギャップ期間３０４によって分離された、コンテンション免除期間３０２と、別個のコンテンション準拠期間３０６とを含み得る。この設計は、コンテンション準拠期間３０６に先立ってサブフレームにコンテンション免除期間３０２が添えられて（affixed）いるので、「前付加（pre-affixed）」設計と呼ばれ得る。１つのアップリンクサブフレームの構成が、例示の目的のためだけに示される。同様の構成が、アップリンクサブフレームの一部のみに、複数のアップリンクサブフレームに、（例えば、特殊サブフレームなどの）アップリンクシグナリングに専用のセグメントを有する他のサブフレームに、またその他の例に、適用され得ることは認識されることになる。
【００３２】
[0047]  コンテンション免除期間３０２において、アクセス端末１２０は、例えば、アップリンク制御シグナリングの送信についてスケジュールされたプライマリＲＡＴシステム１００内の任意の他のワイヤレスノードとともに、共有された通信媒体１４０へのアクセスを求めて競合することなく、コンテンション要件を免除された任意のそのようなシグナリングを送信し得る（例えば、短い、ＣＣＡ免除ＰＵＣＣＨ送信）。
【００３３】
[0048]  送信ギャップ期間３０４において、アクセスポイント１１０、アクセス端末１２０、およびプライマリＲＡＴシステム１００内の任意の他のワイヤレスノードによる送信は、サイレントにされ得る。これは、例えば、コンテンション要件の対象とされるアップリンク制御シグナリングの送信（例えば、長い、ＣＣＡ準拠ＰＵＣＣＨ送信）についてスケジュールされたプライマリＲＡＴシステム１００内の任意の他のワイヤレスノードとともに、共有された通信媒体１４０へのアクセスを求めて、競合する（competing）ＲＡＴシステム１５０と競合するための機会を、アクセス端末１２０に提供する。例として、アクセス端末１２０は、（例えば、Ｎは［１．．ｑ］の間のいくつかのスロットにわたるものとしてランダムに生成される番号ｑで境界をつけられた）送信ギャップ期間３０４内のサイズＮのコンテンションウィンドウ（ＣＷ）にわたって、ＣＣＡバックオフしきい値に対して、共有された通信媒体１４０上でシグナリングをモニタし得る。
【００３４】
[0049]  コンテンション準拠期間３０６においては、送信ギャップ期間３０４の間にコンテンションに勝つアクセス端末１２０および／またはプライマリＲＡＴシステム１００内の他のワイヤレスノードのうちの任意のものは、スケジュールされたように、それらの残りのアップリンク制御シグナリングを送信し得る。そうでなければ、それらは、送信することを控え得、適した再送信スケジューリングプロシージャが開始され得る。
【００３５】
[0050]  一般に、コンテンション免除期間３０２、送信ギャップ期間３０４、およびコンテンション準拠期間３０６の各々の長さは、固定されているか、または動的に決定され、伝達され得る（例えば、無線リソース制御（ＲＲＣ）シグナリングを介して）。例えば、アクセスポイント１１０は、送信ギャップ期間３０４の長さを、一般にコンテンションのために十分な名目持続時間（例えば、数十マイクロ秒のオーダーでの）に設定し得るか、または、競合する（competing）ＲＡＴシステム１５０の優勢なトラフィック条件に基づいて送信ギャップ期間３０４の長さを周期的に適応させ得る。別の例として、アクセスポイント１１０は、そのような送信の予想された数に基づいて、コンテンション免除期間３０２の長さを拡張または減少させ得る。したがって、いくつかの事例では、アクセスポイント１１０は、１つのコンテンション免除送信も予想されないとき、コンテンション免除期間３０２の長さを、ゼロに減少させ得、アップリンクサブフレーム内での送信ギャップ期間３０４の位置を効率的に繰り上げる。送信ギャップ期間３０４のサイレンスを保護するために、それの開始時間および持続時間は、プライマリＲＡＴシステム１００にわたって同期され得る。
【００３６】
[0051]  図４〜図５を参照して以下に説明されることになるように、サブフレーム境界に対するコンテンション免除期間３０２、送信ギャップ期間３０４、およびコンテンション準拠期間３０６の相対的なポジションは、異なる設計において変わり得る。
【００３７】
[0052]  図４は、図１におけるプライマリＲＡＴシステム１００のためにインプリメントされ得る別の例示的なアップリンクサブフレーム構造を例示する。この設計は、コンテンション免除期間３０２の相対的なポジションに関することを除いて、上述した図３の設計と同様である。この設計は、コンテンション準拠期間３０６の後に、サブフレームにコンテンション免除期間３０２が添えられているので、「後付加（post-affixed）」設計と呼ばれ得る。
【００３８】
[0053]  図５は、図１におけるプライマリＲＡＴシステム１００のためにインプリメントされ得る別の例示的なアップリンクサブフレーム構造を例示する。この設計はまた、コンテンション免除期間３０２の相対的なポジションに関することを除いて、上述した図３の設計と同様である。図４の設計と同様に、この設計は、コンテンション準拠期間３０６の後に、サブフレームにコンテンション免除期間３０２が添えられている点で「後付加（post-affixed）」設計の別の例である。しかしながら、図４の設計とは対照的に、送信ギャップ期間３０４は、コンテンション準拠期間３０６およびコンテンション免除期間３０２の後の、サブフレームの終わりに配置される。ここで、先行するサブフレーム（例えば、ＳＦ３）の送信ギャップ期間３０４は、次に来るサブフレーム（例えば、ＳＦ４）のコンテンション準拠期間３０６に、コンテンションの機会を提供する。
【００３９】
[0054]  用いられる特定の設計に関わらず、コンテンション免除期間３０２、送信ギャップ期間３０４、およびコンテンション準拠期間３０６の各々は、アクセス端末多重化スキームに従って多元接続端末に順応するために（例えば、リソース要素にわたる周波数またはコード空間において）細分（subdivided）され得る。
【００４０】
[0055]  図６は、図３のアップリンクサブフレーム構造のための例示的なアクセス端末多重化スキームを例示する多重化図である。同様のアクセス端末多重化スキームが、図４〜図５のアップリンクサブフレーム構造のためにインプリメントされ得ることは認識されることになる。
【００４１】
[0056]  示されているように、コンテンション免除期間３０２、送信ギャップ期間３０４、およびコンテンション準拠期間３０６の各々は、例としてＡＴ−０〜ＡＴ−５とラベル付けされたアクセス端末リソースにわたって細分され得る。具体的には、コンテンション免除期間３０２は、アクセス端末リソースＡＴ−０、ＡＴ−１、ＡＴ−２、およびＡＴ−３にわたって細分され得、および送信ギャップ期間３０４およびコンテンション準拠期間３０６は、アクセス端末リソースＡＴ−４およびＡＴ−５にわたって細分され得る。ここに示された異なるアクセス端末リソースは、異なるアクセス端末によって、または送るべき複数の送信を有する同じアクセス端末によって利用され得ることは、認識されることになる。例えば、アクセス端末１２０は、それのコンテンション免除送信のためにアクセス端末リソースＡＴ−０を、そして、それのコンテンション準拠送信のためにアクセス端末リソースＡＴ−４を、両方占有し得る。
【００４２】
[0057]  以下により詳細に説明されることになるように、ある特定の制御シグナリングの位置（例えば、所与の信号のために使用されることになる特定のアップリンクサブフレーム）は、共有された通信媒体１４０上での動作をより良くサポートする方法で、ハイブリッド自動再送要求（ＨＡＲＱ）等のアクノレッジメント（ＡＣＫ）プロシージャについてスケジュールされ得る。
【００４３】
[0058]  ＨＡＲＱタイムラインは、アクセス端末１２０がダウンリンク上でアクセスポイント１１０からＰＵＣＣＨへのアクセスのグラントを受信する時間と、それがアップリンク上でアクセスポイント１１０にＡＣＫを送る時間との間の関係を表す。
【００４４】
[0059]  ダウンリンクＨＡＲＱタイムラインに関しては、いくつかの考慮すべき事項がある。最初の考慮すべき事項としては、アクセス端末１２０は、それがＰＵＣＣＨ上でＡＣＫを送信することができる前に、処理時間のいくつかのサブフレーム（例えば、レガシーＬＴＥでは４ｍｓ）を必要とし得る。加えて、アクセス端末１２０は、それが長いＰＵＣＣＨを送信することになるとき等には、ＰＵＣＣＨ上で送信する前に、ＣＣＡを実施する必要があり得る。さらに、アクセスポイント１１０は、様々な数の（a variable number of）送信時間間隔（ＴＴＩ）にわたる複数のＴＴＩについて有効であるダウンリンクグラントを、アクセス端末１２０に与えている可能性がある。このケースでは、アクセスポイント１１０は、アクセス端末１２０がどのグラントをアクノレッジしているかを決定する必要があり得る。さらに別の考慮すべき事項としては、アクセス端末１２０は、１つのアップリンクサブフレームにつき、複数のダウンリンクサブフレームをアクノレッジし得る。
【００４５】
[0060]  本開示は、上述された考慮すべき事項に対処するために、いくつかのアプローチ（図７〜図９に例示される）を提供する。提案されるアプローチの各々は、共通したある特定の特徴を有する。例えば、アクセス端末１２０は、特定のアプローチによって定義されるように、ＣＣＡ免除ＡＣＫ／ＮＡＣＫ（ネガティブアクノレッジメント）を自発的に送ることができる。ＣＣＡ免除送信（１つまたは複数の）における損失したＡＣＫ／ＮＡＣＫのケースでは、アクセスポイント１１０は、特に紛失したＡＣＫ／ＮＡＣＫを送るためにアクセス端末１２０をポーリング（poll）することができる。アクセス端末１２０は、アクセスポイント１１０によってスケジュールされた（１つまたは複数の）位置における、スケジュールされたＣＣＡ準拠ＡＣＫ／ＮＡＣＫを介して、そのようなポーリング（a poll）への応答を送り得る。
【００４６】
[0061]  別の共通の特徴は、上で説明された流動的フレーム構造に関する。ここで、同じ送信機会（ＴｘＯＰ）内ですべてのＡＣＫ／ＮＡＣＫ応答をフィット（fit）させるための試みが成されることができる。ＨＡＲＱタイムラインによりこれが可能でないとき（例えば、８つのダウンリンクフレームの後に２つのアップリンクフレームが続き、アクセス端末１２０の処理時間が２ｍｓに制限される場合）、すると上で説明されたポーリングベースのＡＣＫ／ＮＡＣＫスキームが、後続のＴｘＯＰの間に補足（supplement）として使用されることができる。
【００４７】
[0062]  図７は、本開示の少なくとも１つの態様に従って、サブフレームの数に基づいた例示的なＨＡＲＱタイミング図を例示する。ＨＡＲＱタイミング図７１０は、流動的フレーム構造を有するＨＡＲＱタイムラインを例示し、ＨＡＲＱタイミング図７２０は、固定されたフレーム構造を有するＨＡＲＱタイムラインを例示する。各ＨＡＲＱタイミング図７１０および７２０は、５つのダウンリンクサブフレームの後に５つのアップリンクサブフレームが続く例示的なパターンを例示する。しかしながら、認識されることになるように、インプリメンテーションに応じて、５つのダウンリンクサブフレームよりも多いまたは少ないダウンリンクサブフレーム、および、５つのアップリンクサブフレームよりも多いまたは少ないアップリンクサブフレームが存在し得る。
【００４８】
[0063]  図２に関して上述したように、図７に７１０として示されるもののような流動的フレーム構造のインプリメンテーションでは、フレームは、アクセスポイント１１０が媒体（例えば、共有された通信媒体１４０）のコンテンションに勝つと初めて始まる。したがって、アクセスポイント１１０は、５つのダウンリンクサブフレームの後に５つのアップリンクサブフレームが続くというスケジューリングで、フレームが始まるポイントである７１２において媒体のコンテンションに勝ち得る。フレームの末尾（conclusion）において、媒体が他のデバイスまたは他のＲＡＴによって使用され得る期間が存在し得る。この介在する「関与しない（don’t care）」期間（アクセスポイント１１０の観点から）には、アクセスポイント１１０が７１４において、もう一度媒体のコンテンションに勝つときに、それが５つのダウンリンクサブフレームの後に５つのアップリンクサブフレームが続くというフレームパターンで直後に始まり得るように、いかなるサブフレームのスケジューリングもない。
【００４９】
[0064]  図７において７２０として示されるような固定されたフレーム構造では、無線フレームは、アクセスポイント１１０が媒体（例えば、共有された通信媒体１４０）の制御を有するか否かに関わらず、固定されかつ連続したパターンを有する。そのような事例では、アクセスポイント１１０は、それが媒体へのアクセスを有するとき、無線フレームの基本的な（underlying）ダウンリンク／アップリンク構成に従う。例えば、７２０における無線フレームは、５つのダウンリンクサブフレームとそれに続く５つのアップリンクサブフレームから成り、５つのダウンリンクおよび５つのアップリンクサブフレームというパターンが次々に繰り返されるように、時間的に連続したものである。基本的なフレーム構造は時間的に固定されているが、アクセスポイント１１０は、無線フレームの第１のダウンリンクサブフレームにおいて媒体のコンテンションに毎回勝つわけではない可能性がある。示された例では、アクセスポイント１１０は、７２６において媒体のコンテンションに勝つ。したがって、アクセスポイント１１０は、第１の無線フレームの第４のサブフレーム（ＳＦ３）で始まり次の無線フレームの第３のサブフレーム（ＳＦ２）の後に終わる、ＬＢＴフレーム７２２を始めることになり、ここでＬＢＴフレーム７２２は、基本的な無線フレームのサブフレームパターンに従う。ＬＢＴフレーム７２２が終了（concludes）した後、アクセスポイント１１０は、媒体の制御を放棄し得るが、基本的なフレーム構造は元のまま保たれ、そのパターンが続く。アクセスポイント１１０が７２８において、媒体へのアクセスをもう一度得るとき、それは次のＬＢＴフレーム７２４について無線フレームの基本的な構成を採用する。したがって、ＬＢＴフレーム７２４は、１つの無線フレームの９番目のサブフレーム（ＳＦ８）で始まり、次の無線フレームの８番目のサブフレーム（ＳＦ７）で終わる。
【００５０】
[0065]  ＨＡＲＱタイミング図７１０および７２０の両方において、アクセス端末１２０は、アクセスポイント１１０のＴｘＯＰ内でカウントされる、スケジュールされたダウンリンクサブフレームから少なくともＸサブフレーム後の最先のアップリンク（Ｕ）サブフレームにおいて、スケジュールされたダウンリンク（Ｄ）サブフレームのＣＣＡ免除ＡＣＫを送ることを試みる。例えば、スケジュールされたダウンリンクサブフレームの受信とアップリンク上でのサブフレームについてのＡＣＫの送信との間のレガシーＬＴＥの時間差が維持される場合、Ｘは、４サブフレームであるだろう。しかしながら、Ｘは、４サブフレームよりも多いまたは少ないサブフレームであり得る。
【００５１】
[0066]  ＨＡＲＱタイミング図７１０では、アクセス端末１２０（図７において「ＵＥ０」と表される）は、７１２においてアクセスポイント１１０からダウンリンクサブフレームＳＦ０を受信する。アクセス端末１２０は、サブフレームＳＦ４において（すなわち、Ｘが「４」である場合、サブフレームＳＦ０から４サブフレーム後）、ダウンリンクサブフレームＳＦ０をＡＣＫする準備ができ得るが、しかしながら、サブフレームＳＦ４はダウンリンクサブフレームであるので、よってアクセス端末１２０は次のアップリンクサブフレーム、ここではサブフレームＳＦ５、まで待つ。その時、アクセス端末１２０は、アクセスポイント１１０にＡＣＫを送信することができる。
【００５２】
[0067]  ＨＡＲＱタイミング図７２０では、例示的なＬＢＴフレーム７２２は１つのＴｘＯＰに等しく、別の例示的なＬＢＴフレーム７２４もまた１つのＴｘＯＰに等しい。ＨＡＲＱタイミング図７２０に例示されるように、アクセス端末１２０は、ＬＢＴフレーム７２２の間にアクセスポイント１１０からダウンリンクサブフレームＳＦ３およびＳＦ４を受信する。アクセス端末１２０は、４サブフレーム後に、ＬＢＴフレーム７２２のアップリンクサブフレームＳＦ７およびＳＦ８において、これらのダウンリンクサブフレームをＡＣＫし得る。アップリンクサブフレームの後に、アクセス端末１２０は、ＬＢＴフレーム７２２の間に、あと３つのダウンリンクサブフレームＳＦ０〜ＳＦ２を受信する。しかしながら、アクセス端末１２０は、ＬＢＴフレーム７２２は終わってしまったので、４サブフレーム後にこれらのサブフレームをＡＣＫすることができない。したがって、アクセス端末１２０は、ＬＢＴフレーム７２２のダウンリンクサブフレームＳＦ０〜ＳＦ２にＡＣＫするのを次のＬＢＴフレームであるＬＢＴフレーム７２４まで待つ。ここで、ＬＢＴフレーム７２４におけるアップリンクサブフレームＳＦ８は、ＬＢＴフレーム７２２におけるダウンリンクサブフレームＳＦ０から４サブフレームより多く後であるが、アクセスポイント１１０が共有された通信媒体１４０をいつクリアする（clears）かに応じて、追加的なレイテンシが課せられ（incurred）得る（しかしながら、追加的なレイテンシが課せられ得る一方で、カウントがサブフレームの数に基づくことで衝突が最小化されるという利点があることに留意されたい）。したがって、図７の例では、アクセス端末１２０は、ＬＢＴフレーム７２２におけるダウンリンクサブフレームＳＦ０を、ＬＢＴフレーム７２４におけるアップリンクサブフレームＳＦ９においてＡＣＫする。アクセス端末１２０は次いで、ＬＢＴフレーム７２２におけるダウンリンクサブフレームＳＦ１およびＳＦ２をＡＣＫするのを、ＬＢＴフレーム７２４におけるダウンリンクサブフレームＳＦ０〜ＳＦ４の後まで待つ。具体的には、アクセス端末１２０は、ＬＢＴフレーム７２２におけるダウンリンクサブフレームＳＦ１を、ＬＢＴフレーム７２４におけるアップリンクサブフレームＳＦ５においてＡＣＫし、ＬＢＴフレーム７２２におけるダウンリンクサブフレームＳＦ２を、ＬＢＴフレーム７２４におけるアップリンクサブフレームＳＦ６においてＡＣＫする。
【００５３】
[0068]  さらなる態様において、ＨＡＲＱバンドリングは、（図７には例示されていないが）アップリンクサブフレームの数がダウンリンクサブフレームの数のよりも少ない場合に使用され得る。これは、アクセス端末の衝突を最小化するが、固定されたフレーム構造によって増加するレイテンシを課し得る。
【００５４】
[0069]  図８は、本開示の少なくとも１つの態様による、絶対時間に基づいた例示的なＨＡＲＱタイミング図を例示する。ＨＡＲＱタイミング図８１０は、流動的フレーム構造を有するＨＡＲＱタイムラインを例示し、ＨＡＲＱタイミング図８２０は、固定されたフレーム構造を有するＨＡＲＱタイムラインを例示する。各ＨＡＲＱタイミング図８１０および８２０は、５つのダウンリンクサブフレームの後に５つのアップリンクサブフレームが続く例示的なパターンを例示する。しかしながら、認識されることになるように、インプリメンテーションに応じて、５つのダウンリンクサブフレームよりも多いまたは少ないダウンリンクサブフレーム、および、５つのアップリンクサブフレームよりも多いまたは少ないアップリンクサブフレームが存在し得る。
【００５５】
[0070]  ＨＡＲＱタイミング図８１０および８２０の両方において、アクセス端末１２０は、アクセスポイント１１０のＴｘＯＰ内でカウントされる、スケジュールされたダウンリンクサブフレームから少なくともＸミリ秒（ｍｓ）後の最先のアップリンク（Ｕ）サブフレームにおいて、スケジュールされたダウンリンク（Ｄ）サブフレームのＣＣＡ免除ＡＣＫを送ることを試みる。例えば、レガシーＬＴＥの時間差が維持される場合、Ｘは４ミリ秒であるだろう。しかしながら、Ｘは、４ミリ秒よりも長いまたは短い可能性がある。
【００５６】
[0071]  ＨＡＲＱタイミング図８１０では、アクセス端末１２０（図８において「ＵＥ０」と表される）は、８１２においてアクセスポイント１１０からダウンリンクサブフレームＳＦ０を受信する。アクセス端末１２０は、サブフレームＳＦ４において（すなわち、サブフレームＳＦ０から少なくとも４ミリ秒後）、ダウンリンクサブフレームＳＦ０をＡＣＫする準備ができ得るが、しかしながら、サブフレームＳＦ４はダウンリンクサブフレームであるので、よってアクセス端末１２０は次のアップリンクサブフレーム、ここではサブフレームＳＦ５、まで待つ。その時、アクセス端末１２０は、アクセスポイント１１０にＡＣＫを送信することができる。
【００５７】
[0072]  ＨＡＲＱタイミング図８２０では、例示的なＬＢＴフレーム８２２は１つのＴｘＯＰに等しく、別の例示的なＬＢＴフレーム８２４もまた１つのＴｘＯＰに等しい。ＨＡＲＱタイミング図８２０に例示されるように、アクセス端末１２０は、ＬＢＴフレーム８２２の間にアクセスポイント１１０からダウンリンクサブフレームＳＦ３およびＳＦ４を受信する。アクセス端末１２０は、少なくとも４ミリ秒後に、それぞれＬＢＴフレーム８２２のアップリンクサブフレームＳＦ７およびＳＦ８において、これらのダウンリンクサブフレームの各々をＡＣＫする。アップリンクサブフレームの後に、アクセス端末１２０は、ＬＢＴフレーム８２２の間に、あと３つのダウンリンクサブフレームＳＦ０〜ＳＦ２を受信する。しかしながら、アクセス端末１２０は、ＬＢＴフレーム８２２は終わってしまったので、４ミリ秒後にこれらのサブフレームをＡＣＫすることができない。したがって、アクセス端末１２０は、ＬＢＴフレーム８２２のダウンリンクサブフレームＳＦ０〜ＳＦ２をＡＣＫするのを、次のＬＢＴフレームであるＬＢＴフレーム８２４まで待つ。アクセス端末１２０は次いで、ＬＢＴフレーム８２４の最初のアップリンクサブフレーム、すなわちアップリンクサブフレームＳＦ８において、ＬＢＴフレーム８２２のダウンリンクサブフレームＳＦ０〜ＳＦ２をＡＣＫするが、その理由はそれがＬＢＴフレーム８２２のダウンリンクサブフレームＳＦ０〜ＳＦ２の各々が受信されてから少なくとも４ミリ秒後だからである。
【００５８】
[0073]  アクセス端末１２０は、ＬＢＴフレーム８２２のダウンリンクサブフレームＳＦ０〜ＳＦ２を、少なくとも４ミリ秒後に、ＬＢＴフレーム８２４の最初のアップリンクサブフレームにおいてＡＣＫするので、レイテンシが最小化されることに留意されたい。しかしながら、減少したレイテンシが原因で、少なくともＨＡＲＱタイミング図８２０に例示されるＨＡＲＱタイムラインの固定されたフレーム構造について、より大きな衝突の可能性がある。つまり、図８に例示される例では、ＬＢＴフレーム８２２のダウンリンクサブフレームＳＦ０〜ＳＦ２についてのＡＣＫは、ＬＢＴフレーム８２４のアップリンクサブフレームＳＦ３において衝突する、なぜならＬＢＴフレーム８２４のアップリンクサブフレームＳＦ３は、アクセス端末１２０がＡＣＫを送る次の機会であり、かつＬＢＴフレーム８２２のダウンリンクサブフレームＳＦ０〜ＳＦ２の各々から少なくとも４ミリ秒後であるからである。
【００５９】
[0074]  さらなる態様では、図７の例にあるように、（図８には例示されていないが）アップリンクサブフレームの数がダウンリンクサブフレームの数よりも少ない場合、ＨＡＲＱバンドリングが使用され得る。
【００６０】
[0075]  図９は、本開示の少なくとも１つの態様に従って、図７に例示されたサブフレームの数のアプローチと、図８に例示された絶対時間のアプローチとの混合に基づいた、例示的なＨＡＲＱタイミング図を例示する。ＨＡＲＱタイミング図９１０は、流動的フレーム構造を有するＨＡＲＱタイムラインを例示し、ＨＡＲＱタイミング図９２０は、固定されたフレーム構造を有するＨＡＲＱタイムラインを例示する。各ＨＡＲＱタイミング図９１０および９２０は、５つのダウンリンクサブフレームの後に５つのアップリンクサブフレームが続く例示的なパターンを例示する。しかしながら、認識されることになるように、インプリメンテーションに応じて、５つのダウンリンクサブフレームよりも多いまたは少ないダウンリンクサブフレーム、および、５つのアップリンクサブフレームよりも多いまたは少ないアップリンクサブフレームが存在し得る。
【００６１】
[0076]  ＨＡＲＱタイミング図９１０および９２０の両方において、アクセス端末１２０は、アクセスポイント１１０のＴｘＯＰ内でカウントされる、スケジュールされたダウンリンクサブフレームから少なくともＸミリ秒およびＹサブフレーム後の最先のアップリンク（Ｕ）サブフレームにおいて、スケジュールされたダウンリンク（Ｄ）サブフレームのＣＣＡ免除ＡＣＫを送ることを試みる。例えば、レガシーＬＴＥの時間差が維持される場合、Ｘは４サブフレームであり、Ｙは４ミリ秒であるだろう。しかしながら、Ｘは、４サブフレームよりも多いまたは少ないサブフレームであり得、Ｙは、４ミリ秒よりも長いまたは短い可能性がある。
【００６２】
[0077]  ＨＡＲＱタイミング図９１０では、アクセス端末１２０（図９において「ＵＥ０」と表される）は、９１２においてアクセスポイント１１０からダウンリンクサブフレームＳＦ０を受信する。アクセス端末１２０は、サブフレームＳＦ４において（すなわち、サブフレームＳＦ０から４サブフレームおよび少なくとも４ミリ秒後）、ダウンリンクサブフレームＳＦ０をＡＣＫする準備ができ得るが、しかしながら、サブフレームＳＦ４はダウンリンクサブフレームであるので、よってアクセス端末１２０は次のアップリンクサブフレーム、ここではサブフレームＳＦ５、まで待つ。その時、アクセス端末１２０は、アクセスポイント１１０にＡＣＫを送信することができる。
【００６３】
[0078]  ＨＡＲＱタイミング図９２０では、例示的なＬＢＴフレーム９２２は１つのＴｘＯＰに等しく、別の例示的なＬＢＴフレーム９２４もまた１つのＴｘＯＰに等しい。ＨＡＲＱタイミング図９２０に例示されるように、アクセス端末１２０は、ＬＢＴフレーム９２２の間にアクセスポイント１１０からダウンリンクサブフレームＳＦ３およびＳＦ４を受信する。アクセス端末１２０は、これらのダウンリンクサブフレームを、４サブフレームおよび少なくとも４ミリ秒後に、ＬＢＴフレーム９２２のアップリンクサブフレームＳＦ７およびＳＦ８においてＡＣＫする。アップリンクサブフレームの後に、アクセス端末１２０は、ＬＢＴフレーム９２２の間に、あと３つのダウンリンクサブフレームＳＦ０〜ＳＦ２を受信する。しかしながら、アクセス端末１２０は、ＬＢＴフレーム９２２は終わってしまったので、４サブフレームおよび少なくとも４ミリ秒後にこれらのサブフレームをＡＣＫすることができない。したがって、アクセス端末１２０は、ＬＢＴフレーム９２２のダウンリンクサブフレームＳＦ０〜ＳＦ２をＡＣＫするのを、次のＬＢＴフレーム、すなわちＬＢＴフレーム９２４まで待つ。ここで、アクセス端末１２０は、ＬＢＴフレーム９２４の最初のアップリンクサブフレーム、すなわち、アップリンクサブフレームＳＦ８において、ＬＢＴフレーム９２２のダウンリンクサブフレームＳＦ０をＡＣＫすることができるが、その理由はそれがＬＢＴフレーム９２２のダウンリンクサブフレームＳＦ０から少なくとも４サブフレームおよび４ミリ秒後だからである。アクセス端末はまた、アップリンクサブフレームＳＦ８の後の次のアップリンクサブフレーム、すなわち、アップリンクサブフレームＳＦ９において、ＬＢＴフレーム９２２のダウンリンクサブフレームＳＦ１をＡＣＫすることができ、それはＬＢＴフレーム９２４におけるダウンリンクサブフレームの次のシーケンスの前の、最後のアップリンクサブフレームである。アクセス端末１２０は次いで、ＬＢＴフレーム９２２におけるダウンリンクサブフレームＳＦ２をＡＣＫするのを、ＬＢＴフレーム９２４のダウンリンクサブフレームＳＦ０〜ＳＦ４の後まで待つ。具体的には、アクセス端末１２０は、ＬＢＴフレーム９２２におけるダウンリンクサブフレームＳＦ２を、ＬＢＴフレーム９２４におけるアップリンクサブフレームＳＦ５においてＡＣＫする。
【００６４】
[0079]  ＬＢＴフレーム９２４のアップリンクサブフレームＳＦ８は、ＬＢＴフレーム９２２のサブフレームＳＦ０〜ＳＦ２から４サブフレームおよび４ミリ秒よりもさらに後であるが、図７に例示されたサブフレームの数のアプローチと同様に、図８に例示される絶対時間（the absolute timing）のアプローチにおいて可能性があったようなアクセス端末１２０が同じアップリンクサブフレームの間に複数のＡＣＫを送ることを、混合のアプローチは、防ぐことに留意されたい。このようにして、図７に例示されたサブフレームの数のアプローチに比べてレイテンシが減少し、かつ図８に例示された絶対時間のアプローチに比べて衝突が低減される。
【００６５】
[0080]  さらなる態様において、図７および図８の例にあるように、（図９には例示されていないが）アップリンクサブフレームの数がダウンリンクサブフレームの数よりも少ない場合、ＨＡＲＱバンドリングが使用され得る。
【００６６】
[0081]  一態様では、ＰＵＣＣＨ送信は、ＰＵＣＣＨ上での衝突の解決策を提供するために、アクセス端末にわたって（例えば、周波数分割多重（ＦＤＭ）または符号分割多重（ＣＤＭ）を使用して）多重化され得る。図７〜図９を参照して上述したアプローチを用いても、チャネルアクセスおよびフレーム構造の不確実性が原因で、依然として複数のアクセス端末の間でＰＵＣＣＨ衝突の可能性がある。したがって、アクセス端末１２０は、アップリンク送信とダウンリンク送信との間の相対または絶対時間に基づいて、周波数リソース（例えば、インタレース）を選び得る、および／または、アップリンク送信とダウンリンク送信との間の相対または絶対時間に基づいて、多重化するために使用されるＣＤＭコードを選び得る。
【００６７】
[0082]  図１０は、本開示の少なくとも１つの態様による、ＦＤＭ／ＣＤＭを使用したＰＵＣＣＨ上で動作する２つのアクセス端末間の衝突解決の例を例示する。図１０において参照番号１０１０によって例示されるように、ダウンリンクサブフレームＤ０とアップリンクサブフレームＵとの間にはＮ個のサブフレームがあり、ダウンリンクサブフレームＤ１とアップリンクサブフレームＵとの間にはＮ−１個のサブフレームがある。第１のアクセス端末（図１０において「ＵＥ０」と表される）は、ダウンリンクサブフレームＤ０を受信し、第２のアクセス端末（図１０において「ＵＥ１」と表される）は、ダウンリンクサブフレームＤ１を受信する。図１０において参照番号１０２０によって例示されるように、第１のアクセス端末ＵＥ０は、周波数インタレース「０」を占有し、第２のアクセス端末ＵＥ１は、周波数インタレース「１」を占有する。異なる周波数インタレースを占有することによって、アクセス端末ＵＥ０とＵＥ１との両方は、互いに衝突することなく、ＰＵＣＣＨの同じアップリンクサブフレームにおいてアクノレッジメントを送信することができる。
【００６８】
[0083]  図１１は、上述した技法による通信の例示的な方法を例示するフローダイアグラムである。方法１１００は、例えば、共有された通信媒体１４０上で動作する、図１に例示されたアクセス端末１２０によって、実施され得る。例として、共有された通信媒体１４０は、ＬＴＥ技術デバイスおよびＷｉ−Ｆｉ技術デバイスの間で共有される、アンライセンス無線周波数バンド上の１つまたは複数の時間、周波数、または空間リソースを含み得る。
【００６９】
[0084]  １１０２において、アクセス端末１２０は、共有された通信媒体１４０上で、ダウンリンクサブフレームのセットおよびアップリンクサブフレームのセットを定義するＴＤＤフレーム構造に従って通信し得、各アップリンクサブフレームは、送信ギャップ期間、コンテンション免除期間、およびコンテンション準拠期間に分割される。１１０４において、アクセス端末１２０は、送信ギャップ期間の間に、共有された通信媒体１４０へのアクセスを求めて競合するためのコンテンションプロシージャを実施し得る。１１０６において、アクセス端末１２０は、コンテンションプロシージャの結果に基づいて、コンテンション準拠期間の間に、１つまたは複数のコンテンション準拠アップリンク制御信号を選択的に送信し得る。１１０８において、アクセス端末１２０は、１１０４において実施されたコンテンションプロシージャの結果に関わらず、コンテンション免除期間の間に、１つまたは複数のコンテンション免除アップリンク制御信号を送信し得る。
【００７０】
[0085]  上により詳細に説明されたように、アップリンク制御信号は、例えば、ＰＵＣＣＨに対応し得る。送信ギャップ期間、コンテンション免除期間、およびコンテンション準拠期間は、集合的に、各アップリンクサブフレームの一部のみまたは全体にわたり得る。アップリンクサブフレームのセットは、例えば、完全にアップリンクシグナリング専用の少なくとも１つのサブフレーム、ダウンリンク部分およびアップリンク部分を有する部分的にアップリンクシグナリング専用の少なくとも１つのサブフレーム、またはそれらの組合せを含み得る。
【００７１】
[0086]  いくつかの設計では、図３〜図５を参照して上述したように、各アップリンクサブフレーム内で、コンテンション免除期間は送信ギャップ期間に先行し得、送信ギャップ期間はコンテンション準拠期間に先行し得る。他の設計では、各アップリンクサブフレーム内で、送信ギャップ期間はコンテンション準拠期間に先行し得、コンテンション準拠期間はコンテンション免除期間に先行し得る。さらに他の設計では、各アップリンクサブフレーム内で、コンテンション準拠期間はコンテンション免除期間に先行し得、コンテンション免除期間は送信ギャップ期間に先行し得る。
【００７２】
[0087]  これまた上でより詳細に説明されたように、１１０４において実施すること、１１０６において選択的に送信すること、および１１０８において送信することは、送信ギャップ期間、コンテンション免除期間、およびコンテンション準拠期間の各々について定義された複数のアクセス端末リソースのうちの第１のセットのアクセス端末リソース上で実施され得る。
【００７３】
[0088]  図１２は、上述した技法による通信の例示的な方法を例示する別のフローダイアグラムである。方法１２００は、例えば、共有された通信媒体１４０上で動作する、図１に例示されたアクセス端末１２０によって、実施され得る。例として、共有された通信媒体１４０は、ＬＴＥ技術デバイスおよびＷｉ−Ｆｉ技術デバイスの間で共有される、アンライセンス無線周波数バンド上の１つまたは複数の時間、周波数、または空間リソースを含み得る。
【００７４】
[0089]  １２０２において、アクセス端末１２０は、共有された通信媒体１４０上で、ダウンリンクサブフレームのセットおよびアップリンクサブフレームのセットを定義するＴＤＤフレーム構造に従って通信し得る。１２０４において、アクセス端末１２０は、図７〜図９を参照して上述したように、アクセスポイント１１０から、共有された通信媒体１４０のダウンリンクサブフレームを受信する。
【００７５】
[0090]  １２０６において、アクセス端末１２０は、アクセスポイント１１０に、図７〜図９を参照して上述したように、共有された通信媒体１４０のアップリンクサブフレームの間に、ダウンリンクサブフレームのアクノレッジメントを送信する。アクノレッジメントは、ポジティブアクノレッジメント（ＡＣＫ）またはネガティブアクノレッジメント（ＮＡＣＫ）であり得る。上述したように、アップリンクサブフレームは、（例えば、図７におけるような）ダウンリンクサブフレームから少なくとも予め決定された数のサブフレーム（例えば、４サブフレーム）後に発生し得るか、（例えば、図８におけるように、ダウンリンクサブフレームから少なくとも予め決定された時間量後に発生し得るか、または（例えば、図９におけるように）それらの組合せで発生し得る。一態様では、予め決定された時間量は、予め決定されたミリ秒単位の長さ（例えば、４ｍｓ）であり得る。
【００７６】
[0091]  一態様では、１２０６において送信することは、アクセス端末１２０に割り当てられたアクセスポイント１１０のＴｘＯＰの間に、ダウンリンクサブフレームのアクノレッジメントを送信することを含み得る。加えて、ダウンリンクサブフレームから少なくとも予め決定された数のサブフレーム後に発生するアップリンクサブフレームは、図７を参照して上述したように、アクセス端末１２０に割り当てられたアクセスポイント１１０の現在のまたは後続のＴｘＯＰ内のサブフレームのカウントに基づいて決定され得る。ダウンリンクサブフレームから少なくとも予め決定された時間量後に発生するアップリンクサブフレームは、図８を参照して上述したように、絶対時間の測定に基づいて決定され得る。そのケースでは、ダウンリンクサブフレームから少なくとも予め決定された時間量後に発生するアップリンクサブフレームは、ダウンリンクサブフレームから少なくとも予め決定された時間量後に発生するアクセス端末１２０に割り当てられたアクセスポイント１１０のＴｘＯＰの最初のアップリンクサブフレームであり得る。
【００７７】
[0092]  一態様では、アクノレッジメントは、ＣＣＡ免除アクノレッジメントであり得る。アクセスポイント１１０がアクノレッジメントを受信しないことに基づいて、アクセス端末１２０は、アクセスポイント１１０から、アクノレッジメントを送信することを求める要求（例えば、ポーリング要求）を受信し得る。それに応じて、アクセス端末１２０は、アクセスポイント１１０に、アクセスポイント１１０によって決定された共有された通信媒体のアップリンクサブフレームの間に、ダウンリンクサブフレームの別のアクノレッジメントを送信し得る。アクセスポイント１１０によって決定された共有された通信媒体のアップリンクサブフレームの間に送信されるダウンリンクサブフレームのアクノレッジメントは、ＣＣＡ準拠アクノレッジメントであり得る。
【００７８】
[0093]  一般性のために（For generality）、アクセスポイント１１０およびアクセス端末１２０は、それぞれ制御チャネルマネジャ１１２および制御チャネルマネジャ１２２を含む関連する部分のみが図１に示される。しかしながら、アクセスポイント１１０およびアクセス端末１２０は、ここに説明されたアップリンク制御シグナリング技法を提供するまたはさもなければサポートするために、様々な方法で構成され得ることは認識されることになる。
【００７９】
[0094]  図１３は、プライマリＲＡＴシステム１００のアクセス端末１２０およびアクセスポイント１１０の例示的なコンポーネントをより詳細に例示するデバイスレベル図である。示されるように、アクセスポイント１１０およびアクセス端末１２０は各々、一般に、少なくとも１つの指定されたＲＡＴを介して他のワイヤレスノードと通信するためのワイヤレス通信デバイス（通信デバイス１３３０および１３５０で表される）を含み得る。通信デバイス１３３０および１３５０は、（例えば、メッセージ、インジケーション、情報、パイロット等を例として）指定されたＲＡＴに従って、信号を送信および符号化するために、および逆に信号を受信および復号するために、様々に構成され得る。
【００８０】
[0095]  通信デバイス１３３０および１３５０は、例えば、それぞれ、それぞれのプライマリＲＡＴトランシーバ１３３２および１３５２、ならびにいくつかの設計では、（オプションの）同一場所に配置されたセカンダリＲＡＴトランシーバ１３３４および１３５４（例えば、競合する（competing）ＲＡＴシステム１５０によって用いられるＲＡＴに対応する）のような、１つまたは複数のトランシーバを含み得る。ここで使用される場合、「トランシーバ」は、送信機回路、受信機回路、またはそれらの組合せを含み得るが、すべての設計において送信機能と受信機能との両方を提供する必要はない。例えば、完全な通信を提供することが必要ではない場合、コストを削減するために、いくつかの設計において低機能受信機回路が用いられ得る（例えば、低レベルのスニッフィングのみを提供する無線チップまたは同様の回路構成）。さらに、ここで使用される場合、「同一場所に配置された（co-located）」（例えば、無線機、アクセスポイント、トランシーバ等）という用語は、様々な配置（arrangements）のうちの１つを指し得る。例えば、同じハウジング内のコンポーネント、同じプロセッサによってホストされるコンポーネント、互いに定義された間隔内にあるコンポーネント、および／またはインタフェース（例えば、イーサネット（登録商標）スイッチ）を介して接続され、ここでインタフェースがいかなる要求されるコンポーネント間通信（例えば、メッセージング）のレイテンシ要件も満たす、コンポーネントである。
【００８１】
[0096]  アクセスポイント１１０およびアクセス端末１２０はまた各々、一般に、（例えば、指示する、修正する、イネーブルする、ディセーブルする等の）それらのそれぞれの通信デバイス１３３０および１３５０の動作を制御するための通信コントローラ（通信コントローラ１３４０および１３６０で表される）を含み得る。通信コントローラ１３４０および１３６０は、１つまたは複数のプロセッサ１３４２および１３６２、およびそれぞれプロセッサ１３４２および１３６２に結合された１つまたは複数のメモリ１３４４および１３６４を含み得る。メモリ１３４４および１３６４は、オンボードキャッシュメモリとして、別々のコンポーネントとして、組み合せ等のいずれかで、データ、命令、またはそれらの組合せを記憶するように構成され得る。プロセッサ１３４２および１３６２ならびにメモリ１３４４および１３６４は、スタンドアロン通信コンポーネントであり得るか、またはアクセスポイント１１０およびアクセス端末１２０のそれぞれのホストシステム機能性の一部であり得る。
【００８２】
[0097]  制御チャネルマネジャ１１２および制御チャネルマネジャ１２２は、異なる複数の方法でインプリメントされ得ることは認識されることになる。いくつかの設計では、それに関連した機能性のうちのいくつかまたはすべては、少なくとも１つのプロセッサ（例えば、プロセッサ１３４２のうちの１つまたは複数、および／またはプロセッサ１３６２のうちの１つまたは複数）ならびに少なくとも１つのメモリ（例えば、メモリ１３４４のうちの１つまたは複数および／またはメモリ１３６４のうちの１つまたは複数）によって、またはさもなければその指示で、インプリメントされ得る。他の設計では、それに関連した機能性のうちのいくつかまたはすべては、一連の相互に関係する機能モジュールとしてインプリメントされ得る。
【００８３】
[0098]  図１４は、一連の相互に関係する機能モジュールとして表される制御チャネルマネジャ１２２をインプリメントするための例示的な装置を例示する。例示された例では、装置１４００は、通信するためのモジュール１４０２、実施するためのモジュール１４０４、選択的に送信するためのモジュール１４０６、および送信するためのモジュール１４０８を含む。
【００８４】
[0099]  通信するためのモジュール１４０２は、共有された通信媒体１４０上で、ダウンリンクサブフレームのセットおよびアップリンクサブフレームのセットを定義するＴＤＤフレーム構造に従って通信するように構成され得、各アップリンクサブフレームは、送信ギャップ期間、コンテンション免除期間、およびコンテンション準拠期間に分割される。実施するためのモジュール１４０４は、送信ギャップ期間の間に、共有された通信媒体１４０へのアクセスを求めて競合するためのコンテンションプロシージャを実施するように構成され得る。選択的に送信するためのモジュール１４０６は、コンテンションプロシージャの結果に基づいて、コンテンション準拠期間の間に、１つまたは複数のコンテンション準拠アップリンク制御信号を選択的に送信するように構成され得る。送信するためのモジュール１４０８は、コンテンションプロシージャの結果に関わらず、コンテンション免除期間の間に、１つまたは複数のコンテンション免除アップリンク制御信号を送信するように構成され得る。
【００８５】
[00100]  図１５は、一連の相互に関係する機能モジュールとして表される制御チャネルマネジャ１２２をインプリメントするための別の例示的な装置を例示する。例示された例では、装置１５００は、通信するためのモジュール１５０２、受信するためのモジュール１５０４、および送信するためのモジュール１５０６を含む。
【００８６】
[00101]  通信するためのモジュール１５０２は、共有された通信媒体１４０上で、ダウンリンクサブフレームのセットおよびアップリンクサブフレームのセットを定義するＴＤＤフレーム構造に従って通信するように構成され得る。受信するためのモジュール１５０４は、アクセスポイント１１０から、共有された通信媒体１４０のダウンリンクサブフレームを受信するように構成され得る。送信するためのモジュール１５０６は、アクセスポイント１１０に、共有された通信媒体１４０のアップリンクサブフレームの間に、ダウンリンクサブフレームのアクノレッジメントを送信するように構成され得る。アクノレッジメントは、ポジティブアクノレッジメント（ＡＣＫ）またはネガティブアクノレッジメント（ＮＡＣＫ）であり得る。上述したように、アップリンクサブフレームは、（例えば、図７におけるような）ダウンリンクサブフレームから少なくとも予め決定された数のサブフレーム（例えば、４サブフレーム）後に発生し得るか、（例えば、図８におけるように、ダウンリンクサブフレームから少なくとも予め決定された時間量後に発生し得るか、または（例えば、図９におけるように）それらの組合せで発生し得る。
【００８７】
[00102]  図１４〜図１５のモジュールの機能性は、本明細書における教示と一致する様々な方法でインプリメントされ得る。いくつかの設計では、これらのモジュールの機能性は、１つまたは複数の電気的なコンポーネントとしてインプリメントされ得る。いくつかの設計では、これらのブロックの機能性は、１つまたは複数のプロセッサコンポーネントを含む処理システムとしてインプリメントされ得る。いくつかの設計では、これらのモジュールの機能性は、例えば、１つまたは複数の集積回路（例えば、ＡＳＩＣ）の少なくとも一部を使用してインプリメントされ得る。ここで説明したように、集積回路は、プロセッサ、ソフトウェア、他の関連したコンポーネント、またはそれらの何らかの組合せを含み得る。したがって、異なる複数のモジュールの機能性は、例えば、集積回路の異なるサブセットとして、１セットのソフトウェアモジュールの異なるサブセットとして、またはそれらの組合せでインプリメントされ得る。また、所与のサブセット（例えば、集積回路のおよび／または１セットのソフトウェアモジュールの）は、１つより多くのモジュールについての機能性の少なくとも一部を提供し得ることは認識されることになる。
【００８８】
[00103]  加えて、図１４〜１５によって表されるコンポーネントおよび機能、ならびにここに説明される他のコンポーネントおよび機能は、任意の適切な手段を使用してインプリメントされ得る。そのような手段はまた、ここに教示された対応する構造を使用して少なくとも部分的にインプリメントされ得る。例えば、図１４〜図１５の「のためのモジュール」のコンポーネントと併せて上述したコンポーネントはまた、同様に指定された「のための手段」の機能性に対応し得る。したがって、いくつかの態様では、そのような手段のうちの１つまたは複数は、プロセッサコンポーネント、集積回路、または、アルゴリズムとしてのものを含むここに教示された他の適切な構造のうちの１つまたは複数を使用してインプリメントされ得る。当業者は、本開示において、上述した文章において、ならびに疑似コードによって表され得る一連のアクションにおいて表されたアルゴリズムを認識することになる。例えば、図１４〜図１５によって表されたコンポーネントおよび機能は、ＬＯＡＤ動作、ＣＯＭＰＡＲＥ動作、ＲＥＴＵＲＮ動作、ＩＦ−ＴＨＥＮ−ＥＬＳＥループ等を実施するためのコードを含み得る。
【００８９】
[00104]  例えば、「第１の」、「第２の」等のような指定（designation）を用いた本明細書における要素へのいかなる言及も、一般にこれら要素の数量または順序を限定しないことは理解されるべきである。むしろ、これらの指定は、２つ以上の要素またはある要素の事例間での区別の便利な方法として本明細書で使用され得る。したがって、第１の要素および第２の要素への言及は、そこで２つ要素のみが用いられ得ることも、または何らかの意味で第１の要素が第２の要素より優先されなければならないことも、意味していない。また、特にそうでないことが述べられていない限り、要素のセットは、１つまたは複数の要素を備え得る。加えて、説明または特許請求の範囲において使用される「Ａ、Ｂ、またはＣのうちの少なくとも１つ」あるいは「Ａ、Ｂ、またはＣのうちの１つまたは複数」あるいは「Ａ、Ｂ、およびＣから成るグループのうちの少なくとも１つ」という形式の用語は、「ＡまたはＢまたはＣまたはこれらの要素の任意の組合せ」を意味する。例えば、この用語は、Ａ、または、Ｂ、または、Ｃ、あるいは、ＡおよびＢ、または、ＡおよびＣ、あるいは、ＡおよびＢおよびＣ、あるいは、２Ａ、または、２Ｂ、または、２Ｃ等を含み得る。
【００９０】
[00105]  上の説明（descriptions）および説明（explanations）の観点から、当業者は、ここに開示された態様に関連して説明された様々な例示的な論理ブロック、モジュール、回路、アルゴリズムステップは、電子ハードウェア、コンピュータソフトウェア、またはその両方の組合せとしてインプリメントされ得ることを認識するだろう。ハードウェアおよびソフトウェアのこの互換性を明確に例示するために、様々な例示的なコンポーネント、ブロック、モジュール、回路、およびステップが、一般にそれらの機能性の観点から上に説明されている。そのような機能性が、ハードウェアとしてインプリメントされるかまたはソフトウェアとしてインプリメントされるかは、特定の用途およびシステム全体に課せられる設計制約に依存する。当業者は、説明された機能性を特定の用途ごとに様々な方法でインプリメントし得るが、そのようなインプリメンテーションの決定（decisions）は、本開示の範囲からの逸脱を生じさせるものとして解釈されるべきではない。
【００９１】
[00106]  したがって、例えば、装置または装置の任意のコンポーネントは、ここに教示された機能性を提供するように、構成され得る（または動作可能にされ得るまたは適合され得る）ことは認識されることになる。これは、例えば、装置またはコンポーネントを、それが機能性を提供することになるように製造する（manufacturing）（例えば、作る（fabricating））ことによって、装置またはコンポーネントを、それが機能性を提供することになるようにプログラミングすることによって、または何らかの他の適切なインプリメンテーション技法の使用を通して、達成され得る。１つの例として、集積回路は、必須の機能性を提供するように作られ得る。別の例として、集積回路は、必須の機能性をサポートするように作られ、そして必須の機能性を提供するように（例えば、プログラミングを介して）構成され得る。さらに別の例として、プロセッサ回路は、必須の機能性を提供するためのコードを実行し得る。
【００９２】
[00107]  また、ここに開示された態様に関連して説明された方法、シーケンスおよび／またはアルゴリズムは、直接的にハードウェアにおいて、プロセッサによって実行されるソフトウェアモジュールにおいて、またはそれら２つの組合せにおいて、具現化され得る。ソフトウェアモジュールは、ランダムアクセスメモリ（ＲＡＭ）、フラッシュメモリ、読み取り専用メモリ（ＲＯＭ）、消去可能なプログラム可能な読み取り専用メモリ（ＥＰＲＯＭ）、電気的に消去可能なプログラム可能な読み取り専用メモリ（ＥＥＰＲＯＭ（登録商標））、レジスタ、ハードディスク、リムーバルディスク、ＣＤ−ＲＯＭ、あるいは、一時的なまたは非一時的な、当該技術分野において知られている任意の他の形態の記憶媒体内に存在し得る。例示的な記憶媒体は、プロセッサが記憶媒体から情報を読み出すことができるように、および記憶媒体へ情報を書き込むことができるように、プロセッサに結合されている。別の方法では、記憶媒体は、プロセッサと一体化され得る（例えば、キャッシュメモリ）。
【００９３】
[00108]  したがって、例えば、本開示のある特定の態様は、通信するための方法を具現化する一時的なまたは非一時的なコンピュータ読み取り可能な媒体を含むことができることもまた認識されることになる。
【００９４】
[00109]  前述の開示は、様々な例示的な態様を示すが、添付の特許請求の範囲によって定義される適用範囲から逸脱することなく、例示された例に対して様々な変更および修正が成され得ることに留意されたい。本開示は、具体的に例示された例だけに限定されるようには意図されていない。例えば、特に断りがない限り、ここに説明された本開示の態様による方法の請求項のアクション、ステップ、および／または機能は、いかなる特定の順序で実施される必要もない。さらに、ある特定の態様は、単数形で説明され得るまたは特許請求され得るが、単数形への限定が明記されていない限り、複数形が考慮されている。
【図１】
2019502335.tif 000003
【図２】
2019502335.tif 000004
【図３】
2019502335.tif 000005
【図４】
2019502335.tif 000006
【図５】
2019502335.tif 000007
【図６】
2019502335.tif 000008
【図７】
2019502335.tif 000009
【図８】
2019502335.tif 000010
【図９】
2019502335.tif 000011
【図１０】
2019502335.tif 000012
【図１１】
2019502335.tif 000013
【図１２】
2019502335.tif 000014
【図１３】
2019502335.tif 000015
【図１４】
2019502335.tif 000016
【図１５】
2019502335.tif 000017
【国際調査報告】
2019502335.tif 000018
2019502335.tif 000019
2019502335.tif 000020
2019502335.tif 000021
2019502335.tif 000022